(57)【要約】【課題】キーワードと密接に関連する企業等の製品情報等を高濃度に検索可能とする。【解決手段】検索対象となる業種の企業や団体のホームページを選択し、各企業等のホームページに内包される全ページのテキストデータを抽出してデータベースに登録する対象抽出登録段階と、前記端末から入力されたキーワードを含む企業等のホームページを前記データベースから検索・抽出する検索抽出段階と、検索した企業等のホームページに含まれる全ページに渡る入力されたキーワードの出現回数を合計するカウント段階と、検索した企業等のホームページを入力されたキーワードの合計出現回数が多い順に序列化する序列化段階と、序列化した企業等のホームページへのリンク情報を表示する表示段階と、を含む。【選択図】図４
2014194587.tif 000002
【特許請求の範囲】
【請求項１】
端末から入力されたキーワードに基づきデータベースの検索を行うと共に、その検索結果を前記端末に出力して表示させるための情報検索方法であって、
検索対象となる業種の企業や団体のホームページを選択し、各企業等のホームページに内包される全ページのテキストデータを抽出してデータベースに登録する対象抽出登録段階と、
前記端末から入力されたキーワードを含む企業等のホームページを前記データベースから検索・抽出する検索抽出段階と、
検索した企業等のホームページに含まれる全ページに渡る入力されたキーワードの出現回数を合計するカウント段階と、
検索した企業等のホームページを入力されたキーワードの合計出現回数が多い順に序列化する序列化段階と、
序列化した企業等のホームページへのリンク情報を表示する表示段階と、
を含む、ことを特徴とする情報検索方法。
【請求項２】
前記表示段階での企業等のホームページへのリンク情報は、検索結果を序列化した各企業等のホームページトップページにリンクして表示される、ことを特徴とする請求項１に記載の情報検索方法。
【請求項３】
前記表示段階での企業等のホームページへのリンク情報は、検索結果を序列化した各企業等のホームページに内包されるページのうち、入力されたキーワードの出現回数が最も多いページにリンクして表示される、ことを特徴とする請求項１に記載の情報検索方法。
【請求項４】
前記表示段階での企業等のホームページへのリンク情報は、検索結果を序列化して表示した各企業等の名称の一覧の中から一の企業等の名称がクリックされることで、該一の企業等のホームページに内包されるキーワードが含まれるページにリンクして表示される、ことを特徴とする請求項１に記載の情報検索方法。
【請求項５】
前記表示段階でのリンク情報の表示は、入力されたキーワードの出現回数が多いページ順に序列化して行われる、ことを特徴とする請求項４に記載の情報検索方法。
【発明の詳細な説明】
【技術分野】
【０００１】
本発明は情報検索方法に関し、特に、利用者が企業や団体、製造・生産者、サービス提供者等（「企業等」という。）の製品情報や生産品情報、サービス情報等（「製品情報等」という。）を検索するのに際し、余計なノイズを排除し、検索キーワードと密接に関連する企業等の製品情報等を高濃度に検索可能とした情報検索方法に関する。
【背景技術】
【０００２】
従来よりインターネットを介してデータベースから必要な情報を引き出す手段の１つとしていわゆるキーワード検索が知られている。一般的なキーワード検索は、利用者が引き出したい情報に関連する所定のキーワードを端末から入力し、そのキーワードを含む情報をデータベースから検索するものである。
【０００３】
例えば研究者や開発者などの利用者が研究等に利用したい製品情報を検索する場合、利用者は製品に関連するキーワードを入力して検索を行う。そして検索結果は、そのキーワードを含む、または、そのキーワードに関連する適合情報（製品情報など）が記載されたページへのリンクが羅列して表示されるが、適合情報が記載されたページへのリンク表示はデータベースに格納されている順序で出力表示されことが多い。したがって、キーワード検索において適合する情報の数が膨大である場合には、それらの中から必要な情報を選択する作業が極めて煩雑且つ困難となり、利用者の負担が大きくなるばかりか、必要な情報を得るために長時間を要することになる。
【０００４】
このため近年では、下記特許文献１のようにリンク元となる新規又は変更されたホームページを検索・入手し、アンカータグ及びその周辺の分析を行い、その結果を元にアンカータグが示すリンク先のホームページに分析結果を特徴として付与したり、検索結果に対する被リンク数に基づいてその検索結果の表示順位を決定する発明も提案されている。
【先行技術文献】
【特許文献】
【０００５】
【特許文献１】特開２００２−２４５０８９号公報
【発明の概要】
【発明が解決しようとする課題】
【０００６】
しかしながら、リンク元となる新規又は変更されたホームページを検索・入手し、アンカータグ及びその周辺の分析を行い、その結果を元にアンカータグが示すリンク先のホームページに分析結果を特徴として付与する特許文献１の手法においては、利用者から入力されるキーワードに対する関連度の高いホームページを検索できるものの、依然として以下のような不都合があった。
（１）検索対象となるホームページが膨大であり、製品情報をキーワードで検索した場合、企業等（メーカ）が提供する製品情報のみならず、例えば当該キーワードを含む販売店による販売広告や個人が開設するホームページの記載も検索対象となってしまい、検索結果に多くのノイズが含まれる結果、必要な情報になかなか辿り着くことができない。
（２）興味のある製品を取り扱う企業等のホームページに辿り着いたとしても、その製品についての情報が複数のページに渡って分散している場合には、効率的にその製品に関連するページを閲覧することが困難である。
（３）一般的なサーチエンジンでは検索のアルゴリズムが独自のものであり、羅列される検索結果が検索キーワードと関連性が高いものが必ずしも上位に表示される訳ではない。
【０００７】
本発明は、このような実情に鑑みて為されたものであり、ノイズを除去して利用者が本当に必要とする製品に関する製品情報が高濃度に記載された企業等のホームページを公正かつ簡易に効率良く検索して利用者に提供し、しいては利用者である研究者や開発者と製品を提供する企業等とのマッチングに資することができる情報検索方法を提供することを目的とする。
【課題を解決するための手段】
【０００８】
上記課題を解決するために本発明の情報検索方法は、
端末から入力されたキーワードに基づきデータベースの検索を行うと共に、その検索結果を前記端末に出力して表示させるための情報検索方法であって、
検索対象となる業種の企業等のホームページを選択し、各企業等のホームページに内包される全ページのテキストデータを抽出してデータベースに登録する対象抽出登録段階と、
前記端末から入力されたキーワードを含む企業等のホームページを前記データベースから検索・抽出する検索抽出段階と、
検索した企業等のホームページに含まれる全ページに渡る入力されたキーワードの出現回数を合計するカウント段階と、
検索した企業等のホームページを入力されたキーワードの合計出現回数が多い順に序列化する序列化段階と、
序列化した企業等のホームページを表示する表示段階と、
を含む、ことを特徴とする。
【０００９】
ここで、前記表示段階での企業等のホームページの表示は、検索結果を序列化した各企業等のホームページトップページにリンクして表示されるか、検索結果を序列化した各企業等のホームページに内包されるページのうち、入力されたキーワードの出現回数が最も多いページにリンクして表示される、ことが好ましい。
【００１０】
または、前記表示段階での企業等のホームページへのリンク情報は、検索結果を序列化して表示した各企業等の名称の一覧の中から一の企業等の名称がクリックされることで該一の企業等のホームページに内包されるキーワードが含まれるページにリンクして表示される、ようにしてやってもよい。
【００１１】
ここで、前記表示段階でのリンク情報の表示は、入力されたキーワードの出現回数が多いページ順に序列化して行われる、ことが好ましい。
【発明の効果】
【００１２】
本発明によれば、検索対象となる業種の企業等のホームページを予めデータベースに登録し検索対象の絞り込みを行うことでノイズを大幅に除去することができ、また各企業等のホームページ全体のテキストデータから入力されたキーワードの出現回数を基に各企業等のホームページを検索して序列化することで、利用者は本当に必要とする製品に関する製品情報が高濃度に記載された企業等のホームページを簡易かつ効率良く検索することが可能となる。
【図面の簡単な説明】
【００１３】
【図１】本発明の一実施の形態に係る情報検索システムの概略構成を示した図である。
【図２】図１に示した端末装置の概略構成を示すブロック図である。
【図３】図１に示したデータベースサーバの情報検索に関する概略構成を示すブロック図である。
【図４】本実施の形態に係る製品情報等の検索システムを用いた製品情報等の情報検索方法について説明するためのシーケンス図である。
【図５】発明の情報検索方法を具現化した製品情報検索サービスの画面表示のイメージを示した図である。
【発明を実施するための形態】
【００１４】
以下、本発明の一実施の形態について、図面を参照して詳細に説明する。なお以下、ます本発明の情報検索方法を具現化するための製品情報等の検索システムについて説明し、その後に、これを用いた情報検索方法について説明する。
【００１５】
図１は、本発明の実施の形態に係る製品情報等の検索システム１を示している。図のように、この製品情報等の検索システム１は、利用者の端末装置２と、この端末装置２にインターネット通信網４を介して接続されたサーバセンタのデータベースサーバ６から主に構成されている。端末装置２は利用者の所持するデスクトップパソコンやノートパソコン、タブレットＰＣなどのパーソナルコンピュータなどで構成されるが、これに限定されるものではない。サーバセンタのデータベースサーバ６は製品情報等検索サービスを行う事業者が管理するサーバコンピュータである。
【００１６】
ここで端末装置２は、オペレーティングシステム上で動作するアプリケーションであるブラウザを備えている。またインターネット通信網４は、端末装置２とサーバセンタのデータベースサーバ６との間の通信を可能とする通信ネットワークである。なおこのインターネット通信網４は、移動通信網とも接続されており、携帯端末装置などからもインターネット接続することができるようになっている。
【００１７】
インターネット通信網４と接続されたサーバセンタのデータベースサーバ６は、少なくともデータ蓄積機能、データ配信機能、キーワード検索機能、利用者管理機能、管理者機能（および必要な場合には情報料課金機能）を有している。
【００１８】
図２は、図１に示した利用者の端末装置２の概略構成を示すブロック図である。なお、図２に示す構成は、本発明を説明するために簡略化したものであり、通常の端末装置に搭載される構成要素は備えているものとする。この図に示すように、端末装置２は、装置全体を制御する制御部１１と、インターネット通信網４を介してサーバセンタとの間で通信を行う通信制御部１２と、種々のデータや情報を表示する表示部１３と、情報検索などに係わる様々なデータ（後述するキーワード等）を入力するための入力部１４と、端末装置２に搭載され、或いは、ダウンロードされた種々のアプリケーションを起動するためのアプリ制御部１５とから主に構成されている。
【００１９】
ここで通信制御部１２は、キーワード検索に関する情報の通信を制御する。アプリ制御部１５は、制御部１１の指示に応じてアプリケーションプログラムを実行する。またアプリ制御部１５は、必要に応じてサーバセンタとの間でデータ交換を行うためのアプリケーションなどを起動する。
【００２０】
図３は、サーバセンタのデータベースサーバ６の情報検索に関する概略構成を示すブロック図である。データベースサーバ６は、端末装置２から入力されたキーワードに基づきデータベースの検索を行うと共に、その検索結果を端末装置２に出力して表示させるキーワード検索機能を有しており、そのための構成として図３に示す各構成要素を備えている。なおもちろんサーバセンタは、これらの構成要素に加え情報検索以外の他の機能を実行するための他の構成要素を有していても構わない。
【００２１】
図３に示すように、サーバセンタのデータベースサーバ６は、装置全体を制御する制御部２１と、インターネット通信網４を介して端末装置２との間で通信を行うための通信制御部２２と、種々のアプリケーションを起動するためのアプリ制御部２３と、ログインログアウト履歴や検索履歴等を記録する履歴データベース（ＤＢ）２４と、ホームページに含まれる各ページの見出しなどの情報をＵＲＬと関連付けて記録するインデックスデータベース（ＤＢ）２５と、ホームページに含まれる各ページの全テキストデータをＵＲＬと関連付けて記録するテキストデータベース（ＤＢ）２６と、端末装置２から入力されたキーワードを含む情報をインデックスデータベース２５及びテキストデータベース２６から検索する検索手段としてのアプリケーションである検索部２７とを含んでいる。
【００２２】
この場合において、通信制御部２２は、キーワード検索に関する情報の通信を制御することもできる。アプリ制御部２３は、制御部２１の指示に応じてアプリケーションプログラムを実行する。また、アプリ制御部２３は、必要に応じて端末装置２との間でデータ交換を行うためのアプリケーションやホームページに内包される全ページのテキストデータを抽出するためのアプリケーションなどを起動する。
【００２３】
履歴データベース２４は、サーバセンタで管理される全ての端末装置２におけるホームページへの履歴情報、例えば、アクセスした利用者のＩＤ、アクセスした日時、検索されたキーワード、閲覧したホームページのＵＲＬなどを格納する。
【００２４】
インデックスデータベース２５は、キーワードに基づいて検索される検索対象となる企業等のホームページに含まれる各ページの見出しなどの情報をＵＲＬと関連付けたインデックスなど様々な情報を格納している。
【００２５】
テキストデータベース２６は、インデックスデータベース２５に格納される企業等のホームページに内包される全ページのテキストデータを格納している。
【００２６】
なお検索対象となる企業等のホームページの選定は、業界紙や新聞雑誌の掲載企業等、株式上場企業等、展示会出展企業等、大学、研究機関などの情報を基に、製品情報の検索サービスを提供する事業者の担当者が行い、日々、インデックスデータベース２５に選定した企業等のホームページの登録を行う。そしてインデックスデータベース２５に選定した企業等のホームページの登録が行われると、所定のアプリケーションによりそのホームページに内包される全ページのテキストデータが抽出元のページと関連付けられた状態で抽出され、そのデータがテキストデータベース２６に自動的に格納されるようになっている。このように本実施の形態に係る製品情報等の検索システム１において予め検索対象となる業種（製造業や生産業、建築業、サービス業など）の企業等のホームページを絞り込んでいるのは、検索に際してヒットする不必要な情報であるノイズを大幅に低減するためである。
【００２７】
さらに、制御部２１は、検索部２７によって検索されて抽出された企業等のホームページに含まれる全ページに渡る入力されたキーワードの合計出現回数をカウントするためのアプリケーションであるカウント部３３を有しており、また入力されたキーワードの合計出現回数に応じて、抽出された各ホームページを序列化するためのアプリケーションである序列化部３４を有している。なお通常のキーワード検索においては、単に各ページに検索されたキーワードが記載されているページをその検索エンジンの独自のルール（アルゴリズム）に基づいて抽出するものであり、企業等のホームページに含まれる全ページに渡るキーワードの合計出現回数を用いて検索を行うものは存在しない。
このカウント部３３は企業等のホームページに含まれる各ページに出現するキーワードの出現回数もカウントする。また序列化部３４は要求により企業等ごとにそのホームページに含まれるページのうち、キーワードを含むページをそのキーワードの出現回数が多い順に序列化する機能も有している。
【００２８】
そして序列化部３４は検索結果を、抽出された各企業等のホームページをそのホームページに含まれる全ページに渡るキーワードの合計出現回数が多いものを上位になるように序列化してそのホームページへのリンク情報を利用者の端末装置２の表示部に表示させるプログラムを含んでいる。
これにより検索結果として序列化して表示されるホームページへのリンクは、各企業等のホームページトップページまたは、抽出された各企業等のホームページに内包されるページのうち、入力されたキーワードの出現回数が最も多いページにされるようになっているか、もしくはその表示を利用者の好みによって自由に切り替えることができるようなっている。
【００２９】
または序列化部３４は、まず検索されたキーワードを含むホームページを有する企業等の名称をキーワードの合計出現回数が多い順に一覧で表示し、その一覧から一の企業が選択されると、その企業のホームページに含まれるページの中から検索されたキーワードを含むページを抽出し、キーワードの出現回数が多い順に抽出したページへのリンク情報を利用者の端末装置２の表示部に表示させる機能も有している。
【００３０】
このように本実施例に係る製品情報等の検索システム１では、選定した企業等のホームページの中から、企業等のホームページ全体に含まれるキーワードの出現回数をもとにキーワードを有するホームページを序列化して表示する。そのため、従来のように単に単一のページに出現するキーワードを基にサーチエンジンが独自のルールによって検索結果を表示するのとは異なり、検索キーワードと関連性の高い情報を公正に検索して利用者に提供することができる。
【００３１】
本実施の形態に係る製品情報等の検索システム１はこのような構成を有し、予め検索対象となる企業等のホームページを選定し、インデックスデータベース２５に選定した企業等のホームページの登録を行うとともに、テキストデータベース２６にそのホームページに内包される全ページのテキストデータを抽出元のページと関連付け状態で蓄積しておき、その中から端末装置２から入力されたキーワードに基づいてインデックスデータベース２５から当該キーワードを含むホームページを検索すると共に、検索したホームページに含まれる全ページに渡るキーワードの合計出現回数に基づいて当該ホームページの序列化を行う。そしてこの序列化したホームページへのリンクを端末装置２に出力して表示させるものである。
【００３２】
次に上述した本実施の形態に係る製品情報等の検索システム１を用いた製品情報等の情報検索方法について図４のシーケンス図を用いて説明する。
【００３３】
［対象抽出登録段階（Ｓ１）］
この段階は、製品情報等の検索対象となる企業等のホームページの選定を行いその登録を行う段階である。
製品情報等の検索サービスを提供する事業者の担当者は、端末装置からアクセスすることでサーバセンタのデータベースサーバ６のインデックスデータベース２５に選定した企業等のホームページの登録を行い、インデックスデータベース２５に選定した企業等のホームページの登録が行われた後には、所定のアプリケーションがそのホームページに内包される全ページのテキストデータを抽出元のページと関連付けた状態で抽出し、そのデータをテキストデータベース２６に自動的に登録して格納する。
このように本実施の形態に係る製品情報等の検索システム１において予め検索対象となる業種（製造業や生産業、建築業、サービス業など）の企業等のホームページを絞り込むことで、キーワードを用いた検索に際してヒットする不必要な情報であるノイズを大幅に低減することができる。
【００３４】
［ログイン段階（Ｓ２）］
この段階は、検索サービスを利用する利用者や管理を行うサービス提供業者の担当者がサーバセンタのデータベースサーバ６にログインする段階である。
予め利用者登録を行っておいた利用者や担当者は、端末装置のブラウザを起動し、そこにアクセス用のＵＲＬの入力を行うことで、インターネット通信網を介してサーバセンタのデータベースサーバ６にアクセスし、表示された製品情報等の検索サービスのログイン画面から与えられたＩＤおよびパスワードを入力することによりログインを行う。なお履歴データベース２４には検索サービスへのログイン履歴がアクセス履歴として記録される。
【００３５】
［検索抽出段階（Ｓ３）］
この段階は、利用者の端末装置から入力されたキーワードを含む企業等のホームページをサーバセンタのデータベースサーバ６が検索・抽出する段階である。
ログインを行った利用者は表示された検索画面に製品情報等を検索するためのキーワードの入力を行い検索を要求する。入力されたキーワードは、通信制御部１２からインターネット通信網４を介してサーバセンタに送信される。入力されたキーワードは、サーバセンタの通信制御部２２を介して制御部２１（又は検索部２６）に送られる。これを受け取ると、検索部２７は、データベースサーバ６はテキスト検索を行うためのアプリケーションである検索部２７を用いて入力されたテキストを含む企業等のホームページの検索を行いそのテキストが含まれる企業等のホームページを抽出する。
【００３６】
［カウント段階（Ｓ４）］
この段階は、サーバセンタのデータベースサーバ６が検索抽出した企業等のホームページに含まれる全ページに渡る入力されたキーワードの出現回数を合計する段階である。
サーバセンタのデータベースサーバ６は、上記検索抽出段階で検索抽出した企業等のホームページに含まれる全ページに渡る入力されたキーワードの合計出現回数をカウントするためのアプリケーションであるカウント部３３を用いて、テキストデータベース２６からそのホームページに含まれるキーワードの合計出現回数をカウントする。また検索抽出した企業等の各ホームページについて、そのホームページに内包される各ページについても、キーワードの出現回数をカウントしその情報を制御部２１に伝達する。
【００３７】
［序列化段階（Ｓ５）］
この段階は、検索抽出した企業等のホームページを入力されたキーワードの合計出現回数が多い順に序列化する段階である。
サーバセンタのデータベースサーバ６の制御部２１は、上記カウント段階で求めた各企業等のホームページ内全体に渡るキーワードの合計出現回数を基に、検索抽出した企業等のホームページを序列化するためのアプリケーションである序列化部３４を用いて、検索抽出した企業等のホームページをキーワードの合計出現回数が多いものを上位になるように序列化する。また検索抽出した企業等の各ホームページについて、そのホームページに内包される各ページについても、キーワードの出現回数が多い順に序列化を行う。
【００３８】
［表示段階（Ｓ６）］
この段階は、序列化した企業等のホームページへのリンク情報を利用者の端末装置の表示部に表示する段階である。
サーバセンタのデータベースサーバ６は、所定のプログラムを実行することで序列化した企業等のホームページへのリンク情報の一覧を利用者の端末装置２の表示部に表示させる。ここで序列化して表示されるホームページへのリンクは、利用者の好みによって、各企業等のホームページトップページまたは、抽出された各企業等のホームページに内包されるページのうち、入力されたキーワードの出現回数が最も多いページにされるように、その表示を自由に切り替えることができるようなっている。
そして利用者は端末装置の表示部に表示されたリンク情報の一覧から、興味のある企業等のホームページへのリンク情報をクリックすることで、その企業等のホームページ（トップページまたはキーワードの出現回数が最も多いページ）にジャンプするようになっており、利用者はその内容を閲覧することができる。
【００３９】
図５に本発明の情報検索方法を具現化した製品情報検索サービスの画面表示のイメージを示した。この例では「ＬＥＤ」を検索キーワードとしている。
図に示したように「ＬＥＤ」を検索キーワードとして入力して送信すると、序列化した企業等のホームページへのリンク情報表示が、例えば左右に二分割した画面の左側に企業等の名称が一覧表示（「企業名一覧」）され、画面右側にはキーワードの合計出現回数が一番多い企業等（この例では「初芝」）のホームページの中からキーワードを含む各ページへのリンク情報の一覧が表示される。この場合リンク情報の一覧の表示はそのページのキーワード出現回数が多いものが上位となっている。そして「企業名一覧」の中から他の一の企業の名称をクリックするとその企業のホームページの中からキーワードを含む各ページへのリンク情報の一覧が画面の右側に表示される。この場合もリンク情報の一覧の表示はそのページのキーワード出現回数が多いものが上位となる。
そして利用者は表示されたリンク情報の一覧から興味のあるリンク情報をクリックすることで、その企業等のホームページの該当ページにジャンプしてその内容を閲覧することができる。
【００４０】
このように本実施例の製品情報等の情報検索方法によれば、ノイズを除去して利用者が本当に必要とする製品に関する製品情報が高濃度に記載された企業等のホームページを簡易かつ効率良く検索して利用者に提供し、しいては利用者である研究者や開発者と製品を提供する企業等とのマッチングに資することができる。またどのようなキーワードが頻繁に検索されているかなどの情報も取得可能であるため、この情報を基にマーケティングを行い製品開発に有用な情報も提供することが可能となる。
【００４１】
なお本発明は上記実施の形態に限定されず、種々変更して実施することが可能である。例えば、本発明の範囲を逸脱しない限りにおいて、処理手段や処理段階については適宜変更して実施することが可能である。その他、本発明の範囲を逸脱しないで適宜変更して実施することが可能である。
【産業上の利用可能性】
【００４２】
以上の実施例では有用な製品情報を検索する場合を想定して説明したが、製造業以外にも生産業や建築業、種々のサービス業などについても本発明を適用することで、検索キーワードと関連性の高い情報を公正に検索して利用者に提供することができることは勿論である。
【符号の説明】
【００４３】
１  製品情報等の検索システム
２  端末装置
４  インターネット通信網
６  データベースサーバ
２１  制御部
２２  通信制御部
２４  履歴データベース（ＤＢ）
２５  インデックスデータベース（ＤＢ）
２６  アンカーテキストデータベース（ＤＢ）
２７  検索部
３０  アンカーテキスト情報取得部
３２  ポイント演算部
３３  カウント部
３４  序列化部
【図１】
2014194587.tif 000003
【図２】
2014194587.tif 000004
【図３】
2014194587.tif 000005
【図４】
2014194587.tif 000006
【図５】
2014194587.tif 000007